(57)【特許請求の範囲】
【請求項１】
２列の水平ブレード（２０；２０）の往復垂直運動が、連続回転運動を付与される入力軸から駆動される、織機の開口形成のためのジャカードシステムにおいて、
入力軸は単一カム機構によって、一方が他方の内方に同軸的に配設されている２つの軸（１１，１２）に往復回転運動を伝達し、かつそれらの軸端にそれぞれ、ブレード（２０；２０）にそれぞれ連結された２対のラジアルレバ（１３，１４；１４，１３）を備えていることを特徴とする前記ジャカードシステム。
【請求項２】
外方軸（１２）が内方軸（１１）と固定されたラジアルレバ（１３）が通るスロット（１２ａ）及び角度クリアランスを有する、請求項１記載のジャカードシステム。
【請求項３】
ラジアルレバ（１３，１４）が垂直ロッド（１５）によって横方の水平バー（１６）組に連結されており、水平バー組は一方では固定された横ガイド（１７）によって、そして他方では、前記水平バー（１６）に連結された連接ロッド（２０ａ）によってかつシステムのフレーム（１，２）に対して案内されており、その際前記水平バー（１６）はブレード（２０）の支持体を形成する、請求項１記載のジャカードシステム。
【請求項４】
システムのフレーム（１，２）が同心の軸（１１，１２）の端のための支持体及び２つの縦ビーム（２１，２１）によって支持された支持体を形成する２つの垂直プレートから成る請求項１記載のジャカードシステム。
【請求項５】
プレート（１，２）が２つの縦パネル（２４）によって相互に連結されており、縦パネルにはシステムの従来のフック列のためのハウジングを形成する間隔部材が固定されている、請求項４記載のジャカードシステム。
【発明の詳細な説明】
【０００１】
【発明の属する技術分野】
本発明は、織機の開口形成のためのジャカードシステム、特にジャカードシステムのフックの制御を確保する２列のブレードの垂直作動のための機構に関するものである。
【０００２】
【従来の技術】
実際に、これらのフックがスペースによって相互に分離されて、平行な列に配設されており、各列には２つの把持フレームの１つによって大抵支持されている、制御ブレードが垂直に移動する。各フレームは交互に昇降するように回動運動によって駆動されるレバーによって懸架されており、２つの把持フレーム及びそれらのブレードの垂直変位が横糸の挿入のための開口を形成するために同時に相互に反対方向に行われることが認められる。
【０００３】
従来のシステムでは、単一の軸が設けられており、その軸は織機の主軸に連結されかつシステムのフレームの全長に渡って延びている。連続回転運動を付与されるこの軸は、その各端の近くで、把持フレームを支承するレバに所望の昇降運動を付与するために、この連続回転運動を往復回動運動に変換するためのカム又は偏心体の２つの隣接したシステムを備える。
【０００４】
フランス国特許明細書２６６９６５０（ＳＴＡＵＢＬＩ−ＶＥＲＤＯＬ）は明らかに従来の構造を示す。
これはいくつかの欠点を有する。連続運動を往復運動に変換するための機構の存在は、実質的に、アセンブリのコストを増加させ、同時に作動機構の大きさを増加させ、かつこれはシステムのフックに対するアクセスを阻害する。更にこれらの変換機構はフレームの一般的構造を複雑化する。
【０００５】
【発明が解決しようとする課題】
本発明の課題は、上記の欠点、即ちアセンブリのコストの増大を阻止し、作動機構の大きさを減少させ、システムのフックに対するアクセスを良好にするようにジャカードシステムを改良することである。
【０００６】
【課題を解決するための手段】
本発明の課題は、本発明によれば特許請求の範囲第１項に記載された構成、即ち２列の水平ブレードの往復垂直運動が、連続回転運動を付与される入力軸から駆動される、織機の開口形成のためのジャカードシステムにおいて、入力軸は単一カム機構によって、一方が他方の内方に同軸的に配設されている２つの軸に往復回動運動を伝達し、かつ各軸の端にはそれぞれ、ブレードにそれぞれ連結された２対のラジアルレバを備えていることを特徴とする前記ジャカードシステムによって解決される。
【０００７】
【実施例】
次に図面に基づいて本発明を詳しく説明する。
先ず図１によれば、符号１及び２は２つの垂直のプレートを示し、これらは図３に基づいて後に記載するように、図示したジャカードシステムの固定フレームである。プレート１の外端面がカバー３によって閉鎖される一種の横ケースを特定するように、プレート１は横ウエブ１ａを有する。
【０００８】
この横ウエブ１ａの内方にはプレート２と反対側で外方に延びる入力軸４が、図２の符号５で示すようなカップリングによって軸４ａの端に連結され、軸４ａはジャカードシステムが連接される織機の軸によって連続回転駆動される。横ケース１ａ〜３の内方に配置されたこの軸４の部分に、２つの共役なカム６及び７が被嵌されており、公知の方法で、各カム６又は７は同一ボス上並んで固定された２つの偏心ディスクによって構成されており、偏心ディスクの偏心部分は各カムにおいて、交互に対向して位置する。
【０００９】
２つのカム５及び６のディスクの周縁はローラ８の走行路を形成し（図１の矢印）、ローラは、カムを介して相互に対向するようにラジアルアームによって支承されかつ２つのバランス９及び１０について、相互に軸線方向にずらされている。バランス９は内方軸１１よりも僅かに短い外方軸１２の内方に被嵌された内方軸１１の端に固定され、バランス１０は外方軸１２の端に固定されている。同心の内方軸１１及び外方軸１２はプレート１及び２に設けられたローラ軸受によって回転可能に好適に支承されておりかつこれらの軸は前記プレートの上方部分において、システムのフレームの中央の縦軸線に方向に向けられている。
【００１０】
このような条件の下に、横ケース１ａ〜３中に格納されたカム機構は入力軸４の連続回転運動を同心の内方軸１１及び外方軸１２の回動運動に変換することを保証し、その結果同心の内方軸１１及び外方軸１２は相互に同期した往復回動運動を行う。
２つのプレート１及び２の各々の内面の直ぐ近くにおいて、外方軸１２は相互に軸線方向にずらされかつ相互に対向した２つのスロット１２ａを有する。これらのスロット１２ａの各々は内方軸１１に対してそのラジアル方向端を固定されたレバ１３によってトラバースされる。各レバ１３に対向してレバ１４が設けられ、レバ１４は相応するレバ１３の軸線に沿ってラジアル方向端を外方軸１２と固定されかつ対向する対のレバ１３及び１４の各々は一種のバランスビームレバを構成し、かつ対向する対のレバ１３及び１４の各々は、同心の内方軸１１及び外方軸１２の回動運動によって駆動される一種のバランスビームを構成する。
【００１１】
各レバ１３及び１４は、その下端が作動バー１６に連結された垂直ロッド１５（図２）の調整可能な固定のために、アーチ状のスロット１３ａ、１４ａをあけられている。各プレート１及び２の高さに、２つのバー１６が、並んで設けられている。
これらの作動バー１６の端はシステムのフレームに対して剛固に固定された横ガイド１７中に係入している。往復垂直運動の案内を改良するために、当該作動バーを把持するために重複して設けられた水平連接桿１８が各作動バー１６と協働する。
【００１２】
プレート１及び２に対して直角に設けられている２対の横ガイド１７はシステムのハーネスを作動させるための従来のフックを作動させるために、２列のブレード又は水平ナイフ２０の制御を保証するようにされている。当該実施例において、作動バー１６とブレード２０との間の連接はロッド２０ａによって作用され、該ブレード２０は相互に独立に作動される。しかし従来の方法で２つの把持フレームが使用されることも可能である。
【００１３】
システムの一般的機能自体は、内方軸１１及び外方軸１２の往復回動運動が２列のブレード２０の昇降運動を保証する点で、従来の構造のものと同一である。レバー１３及び１４のアーチ状のスロット１３ａ及び１４ａは、必要ならば斜めの開口にされ得る。
しかし、本願発明によれば、同心の内方軸１１及び外方軸１２の中央の配列は、総合的にシステムのフックに対する横方のアクセスを可能にする。前記構成は横ウエブ等１ａ〜３に配設されている共役の対のカムのみから成り、即ちフレームの外方にあり、これはシステムの部材に対するアクセス性を改良する。
【００１４】
この配列はフレーム自体の構成をかなり簡単化する。プレート１の前方に、織機に連結された軸４ａのアセンブリのために配列されたトラバース用側板２２が設けられている。２つのプレート１及び２の間に、一列の間隔部材２３が挿入されており、間隔部材は作動バー１６のガイド１７のため及びロッド１８のピボット１９のための支持体を形成する２つの縦パネル２４に固定されている。
【００１５】
少なくとも間隔部材２３のいくつかはブレード２０の通過のための垂直のスロット２３ａを有する。ブレード２０はブレード１及び２と間隔部材２３との間に特定されたハウジングの列に配置されたフック（図３中Ｃで表わされる）を垂直に駆動するようにされている。
構造の簡易性にもかかわらず、そのようなフレームはかなり丈夫であり、所望の厚さを示す２つのプレート１及び２によって支承される。
【００１６】
【発明の効果】
本発明によれば、ジャカードシステムにおいて、従来技術の欠点、即ちアセンブリのコストの増大を阻止し、作動機構の大きさを減少させ、システムのフックに対するアクセスを良好にするように改良される。
【図面の簡単な説明】
【図１】  本発明によるジャカードシステムの作動機構の図式的軸線断面図である。
【図２】  図１によるジャカードシステムの作動機構の配列を示す斜視図である。
【図３】  図１及び図２のジャカードシステムの作動機構及びフックの組み込み前の、システムのフレームを示す図である。
【符号の説明】
１    プレート
１ａ    横ウエブ
２    プレート
３    カバー
４    入力軸
４ａ    軸
５    カップリング
６    カム
７    カム
８    ローラ
９    バランス
１０    バランス
１１    内方軸
１２    外方軸
１２ａ    スロット
１３    ラジアルレバ
１３ａ    スロット
１４    ラジアルレバ
１４ａ    スロット
１５    垂直ロッド
１６    作動バー又は水平バー
１７    横ガイド
１８    連接ロッド
１９    ピボット
２０    水平ブレード又はナイフ
２０ａ    連接ロッド
２１    縦ビーム
２２    トラバース用側板
２３    間隔部材
２３ａ    垂直スロット
２４    縦パネル
【図１】
0003718290.tif 000002
【図２】
0003718290.tif 000003
【図３】
0003718290.tif 000004